(57)【特許請求の範囲】
【請求項１】
保護繊維スリーブであって、
両端部間の中心長手方向軸に沿って長手方向に延在する、編組された管状壁を備え、
前記壁は、
前記中心長手方向軸に対して概ね横切って切取られた断面で見たときに、減少した長さ、増加した断面積を有する第１の状態と、
前記中心長手方向軸に対して概ね横切って切取られた断面で見たときに、増加した長さ、減少した断面積を有する第２の状態とを有し、
前記壁に付勢を与える、編組されて熱硬化された糸をさらに含み、前記付勢により、前記壁は、何らかの力が外部から加えられなければ、実質的に前記第１の状態および前記第２の状態を保つ、保護繊維スリーブ。
【請求項２】
前記熱硬化された糸のうちの少なくともいくつかは、互いに撚合せられた複数の糸を含む束にされて編組される、請求項１に記載の保護スリーブ。
【請求項３】
前記束のうちの少なくともいくつかは、別の束と相互に連結されることによって形成される隙間を有する、請求項２に記載の保護スリーブ。
【請求項４】
前記束の各々は、別の束と相互に連結されることによって形成される隙間を有する、請求項２に記載の保護スリーブ。
【請求項５】
前記束のうちの少なくともいくつかは、全体が前記熱硬化された糸で形成される、請求項３に記載の保護スリーブ。
【請求項６】
前記束の各々は全体が前記熱硬化された糸で形成される、請求項５に記載の保護スリーブ。
【請求項７】
前記壁は非熱硬化性糸を含む、請求項５に記載の保護スリーブ。
【請求項８】
前記非熱硬化性糸のうちの少なくともいくつかは、反対の撚り方向である、請求項７に記載の保護スリーブ。
【請求項９】
前記非熱硬化性糸のうちの少なくともいくつかは、前記隙間のうちの少なくともいくつかを通って延在する、請求項７に記載の保護スリーブ。
【請求項１０】
前記非熱硬化性糸のうちの少なくともいくつかは、前記束の組の間で同一撚り方向である、請求項９に記載の保護スリーブ。
【請求項１１】
前記束のうちの少なくともいくつかは、全体が前記非熱硬化性糸で形成される、請求項７に記載の保護スリーブ。
【請求項１２】
前記束のうちの少なくともいくつかは非熱硬化性糸を含む、請求項３に記載の保護スリーブ。
【請求項１３】
前記束のうちの少なくともいくつかは、前記熱硬化された糸と撚合せられた前記非熱硬化性糸を含む、請求項１２に記載の保護スリーブ。
【請求項１４】
前記熱硬化された糸はマルチフィラメント糸である、請求項１に記載の保護スリーブ。
【請求項１５】
前記熱硬化された糸はモノフィラメント糸である、請求項１に記載の保護スリーブ。
【請求項１６】
前記壁は、前記付勢に打ち勝つと、前記第１の状態と前記第２の状態との間で素早く移行する、請求項１に記載の保護スリーブ。
【請求項１７】
前記壁は非熱硬化性糸を含む、請求項１に記載の保護スリーブ。
【請求項１８】
前記非熱硬化性糸はマルチフィラメント糸である、請求項１７に記載の保護スリーブ。
【請求項１９】
前記非熱硬化性糸はモノフィラメント糸である、請求項１７に記載の保護スリーブ。
【請求項２０】
前記束は隙間を有し、
前記壁は、前記隙間のうちの少なくともいくつかを通って延在する非熱硬化性糸をさらに含む、請求項２に記載の保護スリーブ。
【請求項２１】
前記束は、Ｓ螺旋方向またはＺ螺旋方向のうちの一方のみの撚り方向である、請求項２０に記載の保護スリーブ。
【請求項２２】
前記束は、反対のＳ螺旋方向およびＺ螺旋方向の撚り方向である、請求項２０に記載の保護スリーブ。
【請求項２３】
前記壁は、非円形の外周を有する、請求項１に記載の保護スリーブ。
【請求項２４】
Ｓ螺旋方向またはＺ螺旋方向のうちの一方の撚り方向であるすべての糸は、撚合せられた糸の前記束として設けられ、
前記束の螺旋方向とは反対のＳ螺旋方向またはＺ螺旋方向の撚り方向であるすべての糸は、撚合せられていない糸として設けられる、請求項２に記載の保護スリーブ。
【請求項２５】
前記束は、全体が前記熱硬化された糸で形成される、請求項２４に記載の保護スリーブ。
【請求項２６】
前記撚合せられていない糸は非熱硬化性糸である、請求項２５に記載の保護スリーブ。
【請求項２７】
前記撚合せられていない糸は前記熱硬化された糸である、請求項２５に記載の保護スリーブ。
【請求項２８】
前記束のうちの少なくともいくつかは、非熱硬化性糸と撚合せられた前記熱硬化された糸で形成される、請求項２４に記載の保護スリーブ。
【請求項２９】
前記束のうちの前記少なくともいくつかは、全体が前記熱硬化された糸で形成され、前記束のうちの少なくともいくつかは、全体が非熱硬化性糸で形成される、請求項２４に記載の保護スリーブ。
【請求項３０】
全体が前記熱硬化された糸で形成された前記束と、全体が非熱硬化性糸で形成された前記束とは交互に並ぶ、請求項２９に記載の保護スリーブ。
【請求項３１】
繊維スリーブを構成する方法であって、
複数の糸を互いに編組することにより、中心長手方向軸に沿った長手方向に延在する、
継ぎ目のない管状壁を形成するステップを含み、前記糸のうちの少なくともいくつかは、熱硬化性糸として設けられ、前記管状壁は、減少した長さ、増加した断面積の第１の状態と、増加した長さ、減少した断面積の第２の状態との間で移行可能であり、前記方法はさらに、
前記壁が前記第１の状態および前記第２の状態のうちの一方の状態で、前記熱硬化性糸を熱硬化することにより、前記熱硬化された糸を介して前記壁に付勢を与えるステップを含み、前記付勢により、前記壁を前記第１の状態または前記第２の状態のうちの他方の状態に移行させる軸方向の力が外部から加えられなければ、前記壁は、前記第１の状態および前記第２の状態の各々を保つ、方法。
【請求項３２】
組み紐編組機で前記壁を編組するステップをさらに含む、請求項３１に記載の方法。
【請求項３３】
前記糸のうちの少なくともいくつかを共に撚合せることにより、前記糸の束を形成するステップと、
前記束を互いに編組するステップとをさらに含む、請求項３１に記載の方法。
【請求項３４】
前記束において隙間を形成するステップと、
別々の前記束のうちの少なくともいくつかにおける前記隙間を互いに連結するステップとをさらに含む、請求項３３に記載の方法。
【請求項３５】
非熱硬化性糸を、前記隙間のうちの少なくともいくつかを通して絡み合せるステップをさらに含む、請求項３４に記載の方法。
【請求項３６】
前記非熱硬化性糸のうちの少なくともいくつかを、撚合せられていない糸として設けるステップをさらに含む、請求項３５に記載の方法。
【請求項３７】
前記束のうちの少なくともいくつかを、非熱硬化性糸および熱硬化性糸で形成するステップをさらに含む、請求項３３に記載の方法。
【請求項３８】
前記束のうちの少なくともいくつかの全体を非熱硬化性糸で形成するステップをさらに含む、請求項３３に記載の方法。
【請求項３９】
前記束のうちの少なくともいくつかの全体を熱硬化性糸で形成するステップをさらに含む、請求項３３に記載の方法。
【請求項４０】
前記束のうちの少なくともいくつかを、熱硬化性糸を含むように形成するステップをさらに含む、請求項３３に記載の方法。
【請求項４１】
前記束の各々の全体を熱硬化性糸で形成するステップをさらに含む、請求項４０に記載の方法。
【請求項４２】
前記壁に非円形の外周を与えるように、前記熱硬化性糸を熱硬化するステップをさらに含む、請求項３１に記載の方法。
【発明の詳細な説明】
【技術分野】
【０００１】
関連出願の相互参照
本願は、２０１４年１０月３０日に出願された米国仮出願第６２／０７２，８９０号、および２０１５年１０月３０日に出願された米国実用出願第１４／９２８，１０７号の利益を主張し、これらの出願の内容全体を本明細書に引用により援用する。
【０００２】
発明の背景
１．技術分野
本発明は、概して繊維スリーブに関し、より特定的には編組繊維スリーブに関する。
【背景技術】
【０００３】
２．関連技術
さまざまな環境条件および影響に対して繊維スリーブ内で細長部材を保護すること、または、束ねる目的および経路付ける目的で、繊維スリーブ内に単に細長部材を収容することが公知である。たとえば、編みスリーブ内、織りスリーブ内、または編組スリーブ内などである。編組スリーブの場合、編組壁は一般的に、「閉じた（closed）」壁と呼ばれることもある、周方向に連続的で継ぎ目のない壁として編組される。閉じた編組壁構成の１つの公知の利点は、圧縮するような態様で壁の両端部を手動で押し、物理的に保持することによって、壁を周方向に拡張し、細長部材上での壁の摺動を容易にし得ることである。両端部を互いの方へ押し、軸方向に圧縮した状態で手動で壁を保持することにより、編組壁は、増加した径と減少した長さとを呈する。径が増加した状態にあるとき、壁は容易に細長部材上に配置され得る。次いで、スリーブが細長部材上に取付けられた後、取付けた人は壁を解放してもよく、そうすると、両端部は自動的に軸方向に互いに離れるように素早く動く。これにより、周方向に減少した径と増加した長さとを呈する。
【０００４】
上述の編組壁の径を増加および減少させる能力は、織りスリーブなどのいくつかの他の公知の種類のスリーブ構成に勝る利点を有するものの、それには潜在的な欠点が付随する。すなわち、編組スリーブの径を手動で増加させる能力は、取付けの際に継続的に外部からの圧縮力を加えることを必要とし、それは困難であると判明する場合があるため、取付ける人がスリーブを細長部材上に容易に取付けることが難しくなり得る。さらに、スリーブの長さが比較的長い場合、編組スリーブの取付けが難しくなる。スリーブの長さが比較的長い場合、スリーブがその長さに沿って折り重なることなく、または曲がることなく両端部を互いの方へ軸方向に圧縮しなければならないことによって、困難が生じる。さらに、壁が解放されて、スリーブが、伸長して径が減少した状態を取り戻した際に、絡み合せた糸間の摩擦により引き起されるパターン保持現象により、壁は一般的に、少なくとも部分的に、その軸方向に圧縮された構成に向かって跳ね戻る傾向がある。したがって、スリーブの事実上の長さが意図せず減少する可能性がある。
【発明の概要】
【課題を解決するための手段】
【０００５】
発明の概要
本発明の一局面によれば、保護繊維スリーブは、両端部間の中心長手方向軸に沿って長手方向に延在する、編組された管状壁を含む。壁は、減少した長さ、増加した断面積の第１の状態と、増加した長さ、減少した断面積の第２の状態とを有する。壁は、熱硬化された編組糸を有する。これにより壁は、何らかの力が外部から加えられなければ、実質的に第１の状態および第２の状態を保つ。
【０００６】
本発明の一局面によれば、熱硬化された編組糸は壁に付勢を与え、この付勢により、壁は、何らかの力が外部から加えられなければ、第１の状態および第２の状態を保つ。
【０００７】
本発明の別の局面によれば、熱硬化された編組糸のうちの少なくともいくつかは、互いに撚合せられた複数の糸を含む束にされて編組され得る。
【０００８】
本発明の別の局面によれば、撚合せられた糸の束のうちの少なくともいくつかは、撚合せられた糸の別の束のループと相互に連結されたループを有するように形成され得る。
【０００９】
本発明の別の局面によれば、撚合せられた糸の束のうちの少なくともいくつかは、熱硬化された糸で全体が形成され得る。
【００１０】
本発明の別の局面によれば、撚合せられた糸の束のうちの少なくともいくつかは、非熱硬化性糸を含み得る。
【００１１】
本発明の別の局面によれば、撚合せられた糸の束のうちの少なくともいくつかは、全体が非熱硬化性糸で形成され得る。
【００１２】
本発明の別の局面によれば、壁は、撚合せられた糸の束のうちの少なくともいくつかにおけるループを通って絡み合せた非熱硬化性糸を含み得る。
【００１３】
本発明の別の局面によれば、壁は、撚合せられた糸の束のうちの少なくともいくつかにおけるループを通って絡み合せた複数の非熱硬化性糸を含み得る。
【００１４】
本発明の別の局面によれば、撚合せられた糸の束のうちの少なくともいくつかにおけるループを通って絡み合せた非熱硬化性糸は、束として設けられ、これらの束は、互いに隣合う関係に配置された複数の非熱硬化性糸を含むとともに、これらの束は、互いに共通のループを通って延在し得る。
【００１５】
本発明の別の局面によれば、壁は、１つの螺旋方向のみに編組された、熱硬化性の撚合せられた糸の束を含み得る。これにより、スリーブの材料内容の重量およびコストが軽減される。
【００１６】
本発明の別の局面によれば、糸のうちの少なくともいくつかは、熱硬化されたモノフィラメント糸と共に撚合せられ、またはこれと共に用いられた非熱硬化性マルチフィラメント糸を含み得る。これにより、壁によって提供される保護被覆率（coverage protection）が高められる。
【００１７】
本発明の別の局面によれば、壁は、熱硬化された糸によって与えられた付勢に打ち勝つと、第１の状態と第２の状態との間で素早く移行し得る。
【００１８】
本発明の別の局面によれば、壁は、長さが減少した第１の状態では第１の径を有し、長さが増加した第２の状態では第２の径を有してもよく、第１の径は第２の径よりも大きい。
【００１９】
本発明の別の局面によれば、壁は、非円形の外周を有し得る。これにより、壁は、同様の形状をした非円形の部品に合致することが可能である。
【００２０】
本発明の別の局面によれば、繊維スリーブを構成する方法は、複数の糸を互いに編組することにより、中心長手方向軸に沿った長手方向に延在する、継ぎ目のない管状壁を形成するステップを含む。糸のうちの少なくともいくつかは、熱硬化性糸として設けられる。この方法は、壁を、減少した長さ、増加した断面積の第１の状態、または、増加した長さ、減少した断面積の第２の状態のうちの一方に移行させ、次いで、壁が第１の状態または第２の状態のうちの一方の状態で、熱硬化性糸を熱硬化するステップをさらに含む。これにより、壁を第１の状態または第２の状態のうちの他方の状態に移行させる軸方向の力が外部から加えられなければ、壁は、実質的に第１の状態および第２の状態の各々を保つ。
【００２１】
本発明の別の局面によれば、上記方法は、組み紐編組機（lace-braiding machine）で壁を編組するステップをさらに含み得る。
【００２２】
本発明の別の局面によれば、上記方法は、糸のうちの少なくともいくつかを共に撚合せることにより、糸の束を形成するステップと、当該束を互いに編組するステップとをさらに含み得る。
【００２３】
本発明の別の局面によれば、上記方法は、束のうちの少なくともいくつかにおいてループを形成するステップと、当該束のうちの１つにおけるループを、当該束のうちの別の束のループと相互に連結するステップとをさらに含み得る。
【００２４】
本発明の別の局面によれば、上記方法は、束のうちの少なくともいくつかを、熱硬化性糸を含むように形成するステップをさらに含み得る。
【００２５】
本発明の別の局面によれば、上記方法は、束のうちの少なくともいくつかの全体を熱硬化性糸で形成するステップをさらに含み得る。
【００２６】
本発明の別の局面によれば、壁の熱形状保持能力を高めるために、上記方法は、撚合せられた糸の束のうちのすべての全体を熱硬化性糸で形成するステップをさらに含み得る。
【００２７】
本発明の別の局面によれば、壁の熱形状保持能力を最適化するために、上記方法は、壁の全体を熱硬化性糸で形成するステップをさらに含み得る。
【００２８】
本発明の別の局面によれば、壁によって提供される保護被覆率を高めるために、上記方法は、非熱硬化性糸を、撚合せられた糸の束のうちの少なくともいくつかと絡み合せるステップをさらに含み得る。
【００２９】
本発明の別の局面によれば、壁によって提供される保護被覆率を高めるために、上記方法は、非熱硬化性糸を、撚合せられた糸の束のうちの少なくともいくつかにおけるループを通して絡み合せるステップをさらに含み得る。
【００３０】
本発明の別の局面によれば、スリーブの保護被覆率を高めるために、上記方法は、束のうちの少なくともいくつかを、非熱硬化性糸を含むように形成するステップをさらに含み得る。
【００３１】
本発明の別の局面によれば、スリーブの保護被覆率を高めるために、上記方法は、束のうちの少なくともいくつかを、互いに撚合せられておらず隣合う関係に配置された複数の非熱硬化性糸を含むように、形成するステップをさらに含み得る。
【００３２】
本発明の別の局面によれば、スリーブの保護被覆率を高めるために、上記方法は、互いに隣合う関係に配置された非熱硬化性糸の束を、撚合せられた糸の他の束の共通のループを通るように延在させるステップをさらに含み得る。
【００３３】
本発明の別の局面によれば、壁によって提供される保護被覆率を高めるために、上記方法は、束のうちの少なくともいくつかを、非熱硬化性糸と撚合せられた熱硬化性糸を含むように形成するステップをさらに含み得る。
【００３４】
本発明のこれらのならびに他の局面、特徴、および利点は、以下の現在好ましい実施形態および最良の形態の詳細な説明、添付された請求項、ならびに添付図面に関連して考慮されると、より容易に理解されるであろう。
【図面の簡単な説明】
【００３５】
【図１Ａ】本発明の一実施形態に従って構成された管状編組スリーブを、軸方向に圧縮されて長さが減少した第１の状態で示す、概略側面図である。
【図１Ｂ】軸方向に圧縮されて長さが減少した第１の状態において、図１Ａのスリーブを、保護すべき細長部材の周囲に配置した状態で示す、概略側面図である。
【図１Ｃ】図１Ａのスリーブを、細長部材の周囲で、軸方向に伸張して長さが増加した第２の状態で示す、側面図である。
【図２】図１のスリーブの壁の拡大部分図である。
【図３Ａ】中央に位置するコネクタを有する細長部材の周囲に配置されたスリーブの、図１Ｃに類似の図である。
【図３Ｂ】中間に位置する複数のコネクタを有する細長部材の周囲に配置されたスリーブの、図１Ｃに類似の図である。
【図４】本発明の別の局面に従って構成されたスリーブを、細長部材の周囲に配置した状態で示す、図１Ｃに類似の図である。
【図５Ａ】本発明の別の局面に従って構成されたスリーブの壁の拡大部分図を示す、図２に類似の図である。
【図５Ｂ】本発明のさらに別の局面に従って構成されたスリーブの壁の拡大部分図を示す、図２に類似の図である。
【図５Ｃ】本発明のさらに別の局面に従って構成されたスリーブの壁の拡大部分図を示す、図２に類似の図である。
【図５Ｄ】本発明のさらに別の局面に従って構成されたスリーブの壁の拡大部分図を示す、図２に類似の図である。
【図５Ｅ】本発明のさらに別の局面に従って構成されたスリーブの壁の拡大部分図を示す、図２に類似の図である。
【図５Ｆ】本発明のさらに別の局面に従って構成されたスリーブの壁の拡大部分図を示す、図２に類似の図である。
【図５Ｇ】本発明のさらに別の局面に従って構成されたスリーブの壁の拡大部分図を示す、図２に類似の図である。
【図５Ｈ】本発明のさらに別の局面に従って構成されたスリーブの壁の拡大部分図を示す、図２に類似の図である。
【図５Ｉ】本発明のさらに別の局面に従って構成されたスリーブの壁の拡大部分図を示す、図２に類似の図である。
【図５Ｊ】本発明のさらに別の局面に従って構成されたスリーブの壁の拡大部分図を示す、図２に類似の図である。
【図５Ｋ】本発明のさらに別の局面に従って構成されたスリーブの壁の拡大部分図を示す、図２に類似の図である。
【図５Ｌ】本発明のさらに別の局面に従って構成されたスリーブの壁の拡大部分図を示す、図２に類似の図である。
【図５Ｍ】本発明のさらに別の局面に従って構成されたスリーブの壁の拡大部分図を示す、図２に類似の図である。
【図６】本発明のさらに別の局面に従って構成されたスリーブの断面図である。
【発明を実施するための形態】
【００３６】
現在好ましい実施形態の詳細な説明
図面をより詳細に参照すれば、図１Ａ〜図１Ｃは、本発明の一局面に従って構成された編組保護繊維スリーブ（以下でスリーブ１０と呼ばれる）を示す。スリーブ１０は、編組された、周方向に連続的で継ぎ目のない管状壁１２を有する。管状壁１２は、両端部１６、１８間で中心長手方向軸１４に沿って長手方向に延在する。端部１６、１８は両方とも開口端として示されるが、端部１６、１８のうち一方または両方が開口端または閉口端として形成され得る。壁１２は、組立て前の第１の状態を得るために、軸方向に圧縮可能である。第１の状態は、減少した長さＬ１、および、増加した径Ｄ１、および／または、中心長手方向軸１４に対して概ね横切って切取った横断面で見たときの、増加した断面積を有する（図１Ａおよび図１Ｂ）。壁１２は、完全に組立てられた第２の状態を得るために、軸方向に伸張可能である。第２の状態は、増加した長さＬ２、および、減少した径Ｄ２、および／または減少した断面積を有する（図１Ｃ）。壁１２は、熱硬化性の編組糸２０を含む。編組糸２０は、熱硬化されると、何らかの力が外部から加えられなければ、熱硬化された糸２０が含まれる壁１２の少なくとも一部を、第１の状態および第２の状態のうちの選択された状態に保たせるか、または実質的に保たせる。外部から加えられる力は、付勢に打ち勝つように選択的に加えられ得て、その結果、所望通りに第１の状態と第２の状態との間で壁１２を軸方向に縮小および伸張させ得る。熱硬化された糸２０は、壁１２に付勢を与える。外部から加えられた力によって付勢に打ち勝つと、壁１２は、新たに選択された状態（第１の状態または第２の状態）を保つ。当該状態は、壁１２が好適な外力によってさらに作用され、壁１２が異なる安定した構成に再び移行するまで保たれる。その後、好適な外力により作用されるまで、壁１２は当該新たな安定した構成を保つ。よって、壁１２は、双安定で自己持続する、軸方向に圧縮された第１の状態と、軸方向に伸張された第２の状態とを有する。ただし、第１の状態と第２の状態との間において、両端部１６、１８間の壁１２の個々の領域を所望の数だけ処理することができることから、壁１２は多安定構成を呈するように容易に処理され得ることを認識すべきである。
【００３７】
壁１２は、好ましくは、組み紐編組機で編組されるが、本明細書において他の編組機構も企図される。本発明の一局面によれば、糸は、全体が熱硬化性糸で設けられる場合であれ、一部のみ熱硬化性糸で設けられる場合であれ、少なくとも部分的に糸の束２１として編組され得る。束２１は、互いに撚合せられ得る糸の複数の端部を含む。ある糸はＳ方向に、他の糸はＺ方向に編組され得る。これにより、個々の糸の束２１を１本の糸として編組することが可能になる。図１〜図３に示す実施形態は、少なくとも部分的に、個々の束２１が互いに編組されて構成されてもよく、各束２１は、互いに撚合せられた複数の糸（糸の対として示される（図２））を含み得る。意図する用途のために、必要に応じて３つ以上の糸の端部を互いに束ねてもよいことを認識すべきである。撚合せられた糸の個々の束２１は、単一のＳ方向もしくはＺ方向、または、Ｓ方向およびＺ方向の両方に編組され得る（Ｓは第１の螺旋方向を表わし、Ｚは反対の螺旋方向を表わす）。束２１は、撚合せられた糸の対の各々の内に形成され、かつ、相互に連結して周方向に閉じた隙間すなわちループ２２（図２）により、交差位置で互いに連結するものとして示される。したがって、束ねられた糸２１の個々の対は、互いから分離できないように、互いに効果的に連結およびロックされる。壁１２を第１および第２の双安定状態間で移行させるために、および、壁１２または壁１２の一部を、選択された状態に維持するために、熱硬化された糸２０で与えられる付勢の効果は、ループ２２を相互に連結することによって大幅に高まる。しかしながら、本明細書において、糸同士は連結されずに編組されてもよいことが企図される。ただし、それは、上述の安定状態があまりはっきりしなくなる可能性があるという了解の下でのことである。
【００３８】
壁１２を編組した後、壁１２が、選択された構成の状態（たとえば、完全にまたは少なくとも部分的に軸方向に圧縮されて長さが減少した状態）で、熱硬化性糸２０が熱硬化される。熱硬化性糸２０は、たとえば、限定ではなく例として、約０．１ｍｍ〜０．４０ｍｍの径を有する、または、限定ではなく例として、約０．１５ｍｍ〜０．２５ｍｍの厚さおよび約１．０ｍｍ〜３．５ｍｍの幅を有する概ね平らな、ナイロン、ポリフェニレンスルファイド（ＰＰＳ）、ポリエチレンテレフタレート（ＰＥＴ）、またはポリプロピレン（ＰＰ）などから成る熱硬化性モノフィラメントまたは熱硬化性マルチフィラメントとして設けられ得る。付勢を最大にするために、壁１２の全体が、限定ではなく例として図２に示すような、熱硬化性モノフィラメント２０の撚合せられた束から形成されてもよい。ただし、たとえば、被覆率、熱的干渉、音響干渉、または電磁干渉（ＥＭＩ：electromagnet interference）の改善など、摩耗以外の追加の種類の保護を提供することが望まれる場合、糸のうちの少なくともいくつかは、非熱硬化性糸２４として設けられてもよい（図４）。非熱硬化性糸２４としては、たとえば、玄武岩、シリカ、もしくはセラミックなどの鉱物繊維もしくはガラス繊維、または、ワイヤ、金属被覆ポリマー糸フィラメント、もしくはハイブリッド糸から成るフレキシブル導電性フィラメントなどがある。ハイブリッド糸は、たとえば、熱硬化性または非熱硬化性のモノフィラメントおよび／またはマルチフィラメントなどの別の糸フィラメントと共に用いられ、またはこれと共に撚合せられた導電性フィラメントまたは非導電性フィラメントを含む。したがって、第１の位置および第２の位置に壁１２を維持するために必要な付勢を与えるのに十分な熱硬化性糸２０が含まれるならば、個々の撚合せられた束２１は、所望の数の熱硬化性糸２０の端部と、所望の数の非熱硬化性糸２４の端部とを有し得る。壁１２が、非熱硬化性糸２４の含有量に対して比較的低いパーセンテージの熱硬化性糸２０（たとえば、限定ではなく例として、５０％未満の含有量）を含む場合、熱硬化性糸２０の径を増加させることができ、径範囲の上限であることができる。これにより、熱硬化性糸２０が径範囲の下限近くで設けられる場合と比較して、より大きい付勢を与えることができる。
【００３９】
熱硬化性糸２０を熱硬化する前に、壁１２が第１の状態となるまで、壁１２の両端部１６、１８は互いの方へ軸方向に圧縮される。第１の状態とは、径方向に拡張して増加した径Ｄ１、および／または増加した断面積（中心長手方向軸１４に対して概ね横切って切取った横断面で見たときに、壁１２によって境界付けされた面積）、減少した長さＬ１の状態である。次いで、好適な度合いの熱が熱硬化性糸２０に加えられる。これにより、熱硬化性糸２０は熱硬化を呈する。熱硬化されると、壁１２は、熱硬化された糸２０により与えられた付勢を得る。この付勢は、壁１２を、選択された使用時の第２の状態の構成（軸方向に伸張した長さＬ２、減少した径Ｄ２、および／または減少した断面積を有する：図１Ｃ）、または、組立て前の第１の状態の構成（軸方向に減少した長さＬ１、径方向に拡張した径Ｄ１、および／または増加した断面積を有する：図１Ａおよび図１Ｂ）に維持するのに役立つ。スリーブ１０がいずれの状態にあるかにかかわらず、スリーブ１０は、熱硬化された糸２０により与えられた付勢に打ち勝つのに十分な外部からの軸方向の力が加えられるまで、その状態を保つ。スリーブ１０の中心長手方向軸１４の方向に概ね沿った好適な力が壁１２に加えられるとき、軸方向の力により作用された壁１２の部分またはセクションがさっと素早く動き、壁１２を一方の状態から他方の状態へ移行させる。その後、壁１２は、第１の状態から第２の状態に移る場合であれ、その逆であれ、外部から軸方向に加えられる好適な力により再び作用されるまで、変化した状態を保つ。したがって、壁１２の全体の長さが、減少した長さの第１の状態、または、増加した長さの第２の状態のうちの一方に形成されてもよいし、または、長手方向に延在する壁１２の任意の数の個々の部分または区分が、所望通りに前述の第１の状態と第２の状態との間で変化するように処理されてもよいことを認識すべきである。よって、軸方向に延在する、壁１２の互いに隣接する区分は、必要に応じて、第１の状態および第２の状態のうちの互いに異なる状態を保つように付勢され得る。これにより、壁は、その長さに沿ってさまざまな外形を呈することが可能である。
【００４０】
熱硬化ステップの前に、スリーブの壁１２は、減少した長さＬ１の第１の状態となるように軸方向に圧縮されながら、壁１２の外周が円形以外に成形され得る。よって、外周は、中心長手方向軸１４に対して概ね横切って切取った横断面で見たときに、非円形の形状に形成されてもよい。非円形の形状は、特定の最終用途のために有益であり得る如何なる所望の形状、たとえば、正方形、長方形、三角形、または如何なる多角形の非円形の形状であってもよい。次いで、減少した長さＬ１の第１の状態となるように壁１２を形成し、壁１２の外周を所望の断面形状となるように構成すると、熱硬化性糸２０に熱硬化を与えるために、壁１２に熱が加えられ得る。これにより、壁１２は双安定の機能性を与えられるとともに、外周が、選択された形状（横断面で見たときに円形または非円形（図６））に形成される。壁１２を所望の減少した長さとなるように軸方向に圧縮（完全に圧縮、または部分的に圧縮）してもよく、さらに、スリーブを仕上がりの長さに切断する前に壁１２のセクションを圧縮して熱硬化してもよく、または、壁１２をある長さに切断した後、壁１２を所望の長さに圧縮し、次いで熱硬化してもよいことを認識すべきである。壁１２を圧縮している間、壁１２を曲げることなく均一に圧縮することを容易にするために、中心マンドレル（mandrel）の周囲に壁１２を配置し得ることが企図される。さらに、完全に、または部分的に圧縮した状態で壁１２を熱硬化することを容易にするために、マンドレルは加熱され得る。
【００４１】
束ねて保護すべき細長部材２３（たとえば、ワイヤハーネス、コンジット（conduit）、またはその他）の周囲にスリーブ１０を組立てる際、壁１２は、完全にまたは部分的に圧縮された第１の状態（図１Ａ）となるように、その中心長手方向軸１４に沿って軸方向に圧縮され得る。壁１２は、当該壁１２を異なる構成となるように移行させるのに十分な何らかの外部からの力が加えられなければ、第１の状態を保つか、または、実質的に第１の状態を保つ。壁１２が、比較的長い場合（たとえば、約２フィート以上）、壁１２全体が少なくとも部分的に軸方向に圧縮されるまで、長手方向に延在する別々の領域が軸方向に圧縮され得る。これにより、壁１２の全体の長さを、第１の、軸方向に圧縮された状態に変形させることが容易になる。したがって、スリーブ１０は増加した径Ｄ１および／または増加した断面積を呈し、これにより、限定ではなく例として図１Ｂに概略的に示すように、壁１２を、より容易に即座に、保護すべき細長部材２３の上に、ならびに、それに取付けられた任意の拡張コネクタまたは付属品２６の上および周囲に配置することが可能になる。次いで、径方向に拡張された壁１２内を通るように細長部材２３を配置した後、たとえば、両端部１６、１８のうちの少なくとも一方を他方から軸方向に離れるように引っ張ることなどにより、軸方向の張力が壁１２に加えられ得る。これにより、壁１２が軸方向に伸張するとともに、壁１２は、径方向に拡張して長さが減少した第１の状態から、限定ではなく例として図１Ｃに概略的に示すような、径方向に縮小して長さが増加した第２の状態へ、さっと移行し、または変形する。必要に応じて、壁１２の任意の一部分または複数の部分は、残りの一部分または複数の部分を、軸方向に圧縮され径方向に拡張された第１の状態に保ったまま、減少した長さＬ１の状態から所望通りに伸長され得ることを認識すべきである。したがって、壁１２は、任意の所望の軸方向長さにわたって延在するように編組され得て、保護すべき細長部材２３の所望の長さにわたって軸方向に伸張され得る。壁１２が、増加した長さＬ２、減少した径Ｄ２、および／または減少した断面積の第２の状態に移行された状態において、壁１２は、たとえば所望の覆い内にワイヤハーネスなどの細長部材２３を収容することにより、細長部材２３を所望通りにきちんと束ねて経路付けることができる。さらに、特にワイヤハーネスが複数の個別の露出したワイヤを有する場合、編組壁１２が細長部材２３を束ねる役割を果たすことに加えて、壁１２は、特に熱硬化性糸２０がモノフィラメントとして設けられる場合に、摩耗からの保護を細長部材２３に提供する役割を果たす。所望通りに、意図された用途に必要な被覆率を提供するようなインチ当たりの打込本数が定められ得ることを認識すべきである。したがって、より低い被覆率が必要な場合は、より少ないインチ当たりの打込本数を用いることが可能であり、より高い被覆率が必要な場合は、より多いインチ当たりの打込本数を用いることが可能である。さらに、インチ当たりの打込本数は、意図された用途で所望される通りに、壁１２の長さに応じて変化し得る。より低い被覆率の場合、壁１２を透かして見るという利点が得られ��。これにより、限定ではなく例として、個々のワイヤのそれぞれの色など、スリーブ内の中身を見ることが可能になる。別の状況では、より高い被覆率を有する場合、汚れの侵入に対するさらなる保護、または、改善された音響および／または熱保護が提供され得る。
【００４２】
図３Ａでは、スリーブ１０を、両端コネクタ２６間の中央に位置するコネクタ２６を有する細長部材２３の周囲に延在する状態で示す。スリーブ１０は、当該スリーブ１０の長さの一部にわたって、第１の状態において局部的に拡張されたままであることができるため、壁１２は、中央コネクタ２６を収容可能である。スリーブ１０の残りの部分は、組立て後、第２の状態まで長手方向に容易に伸張可能である。たとえば図３Ｂに示すように、所望通りに、スリーブ１０の両端部１６、１８間に、第１の状態で拡張された領域、および第２の状態で縮小された領域が如何なる数だけ形成されてもよいことを認識すべきである。図３Ｂでは、細長部材２３は、スリーブ１０内に収容されるべき複数の中間コネクタ２６を含む。これにより、スリーブ１０は、当該スリーブ１０の長さに沿って細長部材２３の多数の異なる径方向寸法および起伏を収容し、これらに合致することが可能である。
【００４３】
図４では、本発明の別の局面に従って構成されたスリーブ１１０を示す。ここでは、上で使用した参照番号に１００を足した同じ参照番号を用いて同様の特徴を特定する。スリーブ１１０は、参照番号１１２により総称的に特定される編組壁を有する。この編組壁は上述したように熱硬化性糸１２０を含み、熱硬化性糸１２０は、熱硬化されると壁１１２に付勢を与える。この付勢により、壁１１２は、選択された第１の状態および第２の状態を保つ。したがって、壁１１２を移行させる何らかの力が外部から加えられなければ、壁１１２は、第１の状態および第２の状態のうちの選択された状態を保つ。上述したように、外部から加えられる力は、壁１１２（その全体、または個々の領域）に、選択的に加えられて、壁１１２または壁１１２の部分を、所望通りに、第１の状態および第２の状態のうちの一方から他方へ移行させることができる。スリーブ１１０の壁１１２は、熱硬化性糸１２０と編組された非熱硬化性糸１２４をさらに含む。非熱硬化性糸１２４は、所望の種類の保護を提供するような、上述した非熱硬化性材料から成るマルチフィラメント糸、および／またはモノフィラメント糸として設けられ得る。マルチフィラメント糸として設けられた場合、図４に一般的に示すように、より高い被覆率が提供されて、細長部材２３が外部のごみによる汚れから保護される。さらに、マルチフィラメントはスリーブ１１０の柔軟性を高める。これにより、近隣の物に対する壁１１２の摩耗作用が減る。壁１１２に関して、以下で説明する実施形態の複数の編組パターンが企図される。
【００４４】
図５Ａでは、図４のスリーブ１１０の、一実施形態の壁２１２を示す。ここでは、上で使用した参照番号に２００を足した同じ参照番号を用いて同様の特徴を特定する。分かり易くするために、壁２１２の拡大断片部分が示され、壁２１２の残りの部分は同じであると理解される。壁２１２は非熱硬化性糸２２４を含む。非熱硬化性糸２２４は、熱硬化性糸２２０と撚合せられた関係に束ねられ、個々の束２２１を形成するものとして示される。限定ではなく例として、１本の非熱硬化性糸２２４が１本の熱硬化性糸２２０と撚合せられているものとして示される。本発明の別の局面によれば、個々の束２２１は互いに編組されて壁２１２の全体を形成し、各束の各ループ２２２は、別の束２２１のループ２２２と相互に連結されるものとして示される。したがって、各束２２１は、熱硬化性糸２２０が熱硬化された際に付勢を与えることができ、一方、各束は、たとえば比較的太いマルチフィラメントなどの非熱硬化性糸２２４を含むことにより、より高い保護被覆率を提供することもできるという、二重の利点を提供する。
【００４５】
図５Ｂでは、図４のスリーブ３１０の、別の実施形態の壁３１２を示す。ここでは、上で使用した参照番号に３００を足した同じ参照番号を用いて同様の特徴を特定する。分かり易くするために、壁３１２の拡大断片部分が示され、壁３１２の残りの部分は同じであると理解される。本発明の別の局面によれば、壁３１２は非熱硬化性糸３２４を含み、非熱硬化性糸３２４は、互いに撚合せられた関係に束ねられ、撚合せられた非熱硬化性糸で個々の束３２１′の全体を形成するものとして示される。個々の束３２１′は、熱硬化性糸３２０を含む他の束３２１″（たとえば、熱硬化性糸３２０のみの束）と編組され得る。各束３２１′、３２１″の各ループ３２２は、別の束３２１′、３２１″のループ３２２と相互に連結されるものとして示される。非熱硬化性糸３２４の撚合せられた束３２１′と、熱硬化性糸３２０の撚合せられた束とは、Ｓ方向およびＺ方向の各々に交互に並ぶものとして示される。
【００４６】
図５Ｃでは、図４のスリーブ１１０の、別の実施形態の壁４１２を示す。ここでは、上で使用した参照番号に４００を足した同じ参照番号を用いて同様の特徴を特定する。分かり易くするために、壁４１２の拡大断片部分が示され、壁４１２の残りの部分は同じであると理解される。壁４１２は、非熱硬化性糸４２４のみを含む束４２１′を含む。個々の束４２１′は、熱硬化性糸４２０および非熱硬化性糸４２４の両方を含む他の束４２１と編組され得る。各束４２０、４２１′の各ループ４２２は、別の束４２０、４２１′のループ４２２と相互に連結されるものとして示される。本実施形態では、束４２１は、全体が第１のＳ螺旋方向またはＺ螺旋方向に延在するものとして示される一方、束４２１′は、全体が束４２１とは反対の第２のＳ螺旋方向またはＺ螺旋方向に延在するものとして示される。したがって、熱硬化性糸４２０の使用が減る。これにより、非熱硬化性糸４２４によって提供される被覆率の度合いが増し、スリーブ１１０の可撓性の度合いがさらに向上する。
【００４７】
図５Ｄでは、図４のスリーブ１１０の、別の実施形態の壁５１２を示す。ここでは、上で使用した参照番号に５００を足した同じ参照番号を用いて同様の特徴を特定する。分かり易くするために、壁５１２の拡大断片部分が示され、壁５１２の残りの部分は同じであると理解される。図２に示すスリーブに関連して上述したように、壁５１２は熱硬化性糸５２０のみを含む撚合せられた束５２１を含み、束５２１は、Ｓ方向およびＺ方向の両方に延在するものとして示される。しかしながら、壁５１２は、Ｓ方向およびＺ方向の両方に延在する撚合せられていない非熱硬化性糸５２４も含む。撚合せられていない非熱硬化性糸５２４は、隣合う糸２本１組で編組され、各組が、撚合せられた束５２１の共通ループ５２２を通るものとして示される。撚合せられていない非熱硬化性糸５２４の各々は、以下のように編組される。すなわち、Ｓ方向に延在する各糸５２４は、Ｓ方向に延在する束５２１と同一螺旋方向（co-helically）に延在し、かつ、Ｓ方向に延在する束５２１の間に延在し、かつ、Ｚ方向に延在する糸５２４の上および下に波打ち、かつ、ループ５２２の領域において対応する熱硬化性糸５２０の上および下にも波打つように編組される。また、Ｚ方向に延在する各糸５２４は、Ｚ方向に延在する束５２１と同一螺旋方向に延在し、かつ、Ｚ方向に延在する束５２１の間に延在し、かつ、Ｓ方向に延在する糸５２４の上および下に波打ち、かつ、ループ５２２の領域において対応する熱硬化性糸５２０の上および下にも波打つように編組される。図面から分かるように、各糸５２０、５２４は、ある糸の上、次いで、次の糸の下に波打つ。これにより、平織に見られるパターンと同様の（ただし、当然編組されたものであるが）単純な編組が形成される。非熱硬化性糸５２４の存在は、柔軟性、可撓性、および、より高い保護被覆率をスリーブ１１０に与えるように機能する。図示の実施形態では、Ｓ方向およびＺ方向の両方において、隣接する熱硬化性の束５２１の間に１組の非熱硬化性糸５２４が延在する。
【００４８】
図５Ｅでは、図４のスリーブ１１０の、別の実施形態の壁６１２を示す。ここでは、上で使用した参照番号に６００を足した同じ参照番号を用いて同様の特徴を特定する。分かり易くするために、壁６１２の拡大断片部分が示され、壁６１２の残りの部分は同じであると理解される。壁６１２は構成が壁５１２に類似している。しかしながら、撚合せられた束全体が熱硬化性糸で形成されるのではなく、撚合せられた束６２１（Ｓ方向またはＺ方向のうちの少なくとも一方に延在し、図ではＳ方向およびＺ方向両方に延在するものとして示される）は、非熱硬化性糸６２４と撚合せられた熱硬化性糸６２０として提供される。他の点では、壁６１２は、壁５１２に関して上述したような、撚合せられていない非熱硬化性糸６２４を含む。よって、壁５１２と比較すると、壁６１２には、若干減少した熱硬化性糸６２０が存在するとともに、若干増加した非熱硬化性糸６２４が存在する。
【００４９】
図５Ｆでは、図４のスリーブ１１０の、別の実施形態の壁７１２を示す。ここでは、上で使用した参照番号に７００を足した同じ参照番号を用いて同様の特徴を特定する。分かり易くするために、壁７１２の拡大断片部分が示され、壁７１２の残りの部分は同じであると理解される。壁７１２は構成が壁５１２に類似している。しかしながら、撚合せられた熱硬化性糸７２０の各束７２１の間に、撚合せられていない非熱硬化性糸が１組延在するのではなく、別個の２組の撚合せられていない非熱硬化性糸７２４が、撚合せられた熱硬化性糸７２０の各束７２１の間に延在する。壁５１２と同様に、各糸７２０、７２４は、ある糸の上、次いで、次の糸の下に波打つ。これにより、平織に見られるパターンと同様の（ただし、当然編組されたものであるが）単純な編組が形成される。熱硬化された束７２１の間に延在する非熱硬化性糸７２４の数は、意図された用途の必要条件次第で、図示のものと異なり得ることを認識すべきである。よって、さらに高い保護被覆率が所望される場合に、より多くの非熱硬化性糸７２４を含むことができる。
【００５０】
図５Ｇでは、図４のスリーブ１１０の、別の実施形態の壁８１２を示す。ここでは、上で使用した参照番号に８００を足した同じ参照番号を用いて同様の特徴を特定する。分かり易くするために、壁８１２の拡大断片部分が示され、壁８１２の残りの部分は同じであると理解される。壁８１２は構成が壁６１２に類似している。しかしながら、撚合せられた熱硬化性糸および非熱硬化性糸の各束の間に、撚合せられていない非熱硬化性糸が１組延在するのではなく、別個の２組の撚合せられていない非熱硬化性糸８２４が、撚合せられた熱硬化性糸８２０および非熱硬化性糸８２４の各束８２１の間に延在する。壁５１２と同様に、各糸８２０、８２４は、ある糸の上、次いで、次の糸の下に波打つ。これにより、平織に見られるパターンと同様の（ただし、当然編組されたものであるが）単純な編組が形成される。熱硬化された束８２１の間に延在する非熱硬化性糸８２４の数は、意図された用途の必要条件次第で、図示のものと異なり得ることを認識すべきである。よって、さらに高い保護被覆率が所望される場合に、より多くの非熱硬化性糸８２４を含むことができる。
【００５１】
図５Ｈでは、図４のスリーブ１１０の、別の実施形態の壁９１２を示す。ここでは、上で使用した参照番号に９００を足した同じ参照番号を用いて同様の特徴を特定する。分かり易くするために、壁９１２の拡大断片部分が示され、壁９１２の残りの部分は同じであると理解される。壁９１２は、Ｓ螺旋方向またはＺ螺旋方向のうちの一方のみに延在する、撚合せられた熱硬化性糸９２０の束９２１と、Ｓ螺旋方向およびＺ螺旋方向の両方に延在する、撚合せられていない非熱硬化性糸９２４とを含む。上述したのと同様に、熱硬化性糸９２０とは反対のＳ方向またはＺ方向に延在する非熱硬化性糸９２４は、２本１組で、撚合せられた束９２１のループ９２２を通って延在する。図示のように、各組のうちの一方の非熱硬化性糸９２４は、ループ９２２の一方側の上および下に延在し、各組のうちの他方の非熱硬化性糸９２４は、それぞれのループ９２２の反対側の上および下に延在する。熱硬化性糸９２０に対して同じＳ方向またはＺ方向に延在し、ひいては、熱硬化性糸９２０と平行かつ同一螺旋方向である非熱硬化性糸９２４は、熱硬化性糸９２０を横切る熱硬化性糸９２０の上および下に延在する。これは、たとえば平織に見られるようなものである（ただし、当然編組されたものであるが）。図示の実施形態では、合計６本の非熱硬化性糸が、隣接する撚合せられた束９２１の間に延在して示されるが、本明細書では、意図された用途の必要に応じて、その数がこれより多くてもよいし、または少なくてもよいことが企図される。
【００５２】
図５Ｉでは、図４のスリーブ１１０の、別の実施形態の壁１０１２を示す。ここでは、上で使用した参照番号に１０００を足した同じ参照番号を用いて同様の特徴を特定する。分かり易くするために、壁１０１２の拡大断片部分が示され、壁１０１２の残りの部分は同じであると理解される。壁１０１２は壁９１２に類似しており、Ｓ螺旋方向またはＺ螺旋方向のうちの一方のみに延在する、撚合せられた束１０２１と、Ｓ螺旋方向およびＺ螺旋方向の両方に延在する、撚合せられていない非熱硬化性糸１０２４とを含む。壁９１２と異なり、撚合せられた束１０２１は、熱硬化性糸１０２０と撚合せられた非熱硬化性糸１０２４を含む。したがって、壁９１２と比較すると、壁１０１２に含まれる熱硬化性糸は少ないが、壁９１２と比較すると、壁１０１２に含まれる非熱硬化性糸１０２４は多い。したがって、壁１０１２は、若干可撓性が高く、被覆保護の面積がより広いが、第１の状態と第２の状態との間で素早く移行する能力が若干低い。他の点では、壁１０２１は、壁９１２に関して上述したものと同じである。
【００５３】
図５Ｊでは、図４のスリーブ１１０の、別の実施形態の壁１１１２を示す。ここでは、上で使用した参照番号に１１００を足した同じ参照番号を用いて同様の特徴を特定する。分かり易くするために、壁１１１２の拡大断片部分が示され、壁１１１２の残りの部分は同じであると理解される。壁１１１２は壁９１２に類似している。しかしながら、壁１１１２は、Ｓ螺旋方向またはＺ螺旋方向のうちの一方のみに延在する、撚合せられた束１１２１と、撚合せられた束１１２１とは反対のＳ螺旋方向またはＺ螺旋方向のみに延在する、撚合せられていない糸１１２４とを含む。よって、Ｓ方向またはＺ方向のうちの一方に延在するすべての糸は撚合せられた束１１２１である一方、撚合せられた束１１２１の螺旋方向とは反対のＳ方向またはＺ方向に延在するすべての糸は、撚合せられていない糸１１２４である。撚合せられた束１１２１は、すべて熱硬化性糸１１２０を含むものとして示される。熱硬化性糸１１２０は、限定ではなく例として熱硬化性モノフィラメントとして示されるが、熱硬化性マルチフィラメントが使用されてもよいことが企図される。さらに、撚合せられていない糸１１２４は、すべて、たとえば上述した材料から提供され得るような非熱硬化性マルチフィラメントを含むものとして示される。撚合せられていない糸１１２４は、撚合せられた糸のループ１１２２を通って延在し、当該ループ１１２２により捉えられ、当該ループ１１２２と付勢相互作用する。したがって、Ｓ方向またはＺ方向のうちの一方に延在する撚合せられた束１１２１は、細長部材に保護を提供して摩耗から保護することに加えて、上述したように、壁１１１２内に付勢を与えて、壁１１１２に双安定状態を提供する。一方、反対の螺旋方向ＳまたはＺに延在する非熱硬化性の撚合せられていない糸１１２４は、スリーブ内に収容される細長部材に望まれる、さらなる被覆保護の種類を提供する。
【００５４】
図５Ｋでは、図４のスリーブ１１０の、別の実施形態の壁１２１２を示す。ここでは、上で使用した参照番号に１２００を足した同じ参照番号を用いて同様の特徴を特定する。分かり易くするために、壁１２１２の拡大断片部分が示され、壁１２１２の残りの部分は同じであると理解される。壁１２１２は壁１１１２に類似しており、壁１２１２は、Ｓ螺旋方向またはＺ螺旋方向のうちの一方のみに延在する、撚合せられた束１２２１と、撚合せられた束１２２１とは反対のＳ螺旋方向またはＺ螺旋方向のみに延在する、撚合せられていない糸１２２０とを含む。よって、Ｓ方向またはＺ方向のうちの一方に延在するすべての糸は、撚合せられた束１２２１である一方、撚合せられた束１２２１の螺旋方向とは反対のＳ方向またはＺ方向に延在するすべての糸は、撚合せられていない糸１２２０である。撚合せられた束１２２１は、すべて熱硬化性糸１２２０を含むものとして示される。熱硬化性糸１２２０は、限定ではなく例として熱硬化性モノフィラメントとして示されるが、熱硬化性マルチフィラメントが使用されてもよいことが企図される。壁１１１２と異なり、撚合せられていない糸１２２０は、すべて熱硬化性モノフィラメント１２２０を含むものとして示される。熱硬化性モノフィラメント１２２０は、撚合せられた糸のループ１２２２を通って延在し、当該ループ１２２２により捉えられ、当該ループ１２２２と付勢相互作用する。
【００５５】
図５Ｌでは、図４のスリーブ１１０の、別の実施形態の壁１３１２を示す。ここでは、上で使用した参照番号に１３００を足した同じ参照番号を用いて同様の特徴を特定する。分かり易くするために、壁１３１２の拡大断片部分が示され、壁１３１２の残りの部分は同じであると理解される。壁１３１２は壁１１１２に類似しており、顕著な相違点のみを以下に述べる。壁１３１２は、熱硬化性糸のみから成る撚合せられた束を含むのではなく、壁１３１２が含む撚合せられた束１３２１は、各束１３２１が、図５Ｉの壁１０２１に関して図示および記述したのと同様に、互いに撚合せられた熱硬化性糸１３２０と非熱硬化性糸１３２４とを含む（熱硬化性糸１３２０はモノフィラメントとして示されるが、本明細書では、熱硬化性マルチフィラメントも企図される）。一方、撚合せられた糸１３２１とは反対の螺旋方向ＳまたはＺに延在する非熱硬化性の撚合せられていない糸１３２４は、撚合せられた糸１３２１のループ１３２２を通って延在し、当該ループ１３２２により捉えられ、当該ループ１３２２と付勢相互作用する。
【００５６】
図５Ｍでは、図４のスリーブ１１０の、別の実施形態の壁１４１２を示す。ここでは、上で使用した参照番号に１４００を足した同じ参照番号を用いて同様の特徴を特定する。分かり易くするために、壁１４１２の拡大断片部分が示され、壁１４１２の残りの部分は同じであると理解される。壁１４１２は壁１１１２に類似しており、顕著な相違点のみを以下に述べる。壁１４１２は、熱硬化性糸のみから成る撚合せられた束を含むのではなく、壁１４１２は、熱硬化性糸１４２０のみの撚合せられた束１４２１（モノフィラメントとして示されるが、本明細書では、熱硬化性マルチフィラメントも企図される）と、非熱硬化性糸１４２４のみの撚合せられた束１４２１′（非熱硬化性マルチフィラメントとして示される）とを含む。それぞれの撚合せられた束１４２１、１４２１′は交互に並ぶものとして示される。しかしながら、本明細書において、それぞれの撚合せられた束１４２１、１４２１′の任意の所望の数およびパターンが企図されることを認識すべきである。一方、撚合せられた糸１４２１、１４２１′とは反対の螺旋方向ＳまたはＺに延在する非熱硬化性の撚合せられていない糸１４２４は、撚合せられた糸１４２１、１４２１′のループ１４２２を通って延在し、当該ループ１４２２により捉えられ、当該ループ１４２２と付勢相互作用する。
【００５７】
上述の教示を考慮して、本発明の多くの修正および変形が可能である。加えて、本発明のさまざまな局面に従って構成された、編組された管状壁は、限定ではなく例として、保護部材、束ねる部材、または、新規な項目の用途をも含む多数の用途を呈し得ることを認識すべきである。したがって、本発明は具体的に説明されたこと以外の態様で実践され得ること、および、本発明の範囲は最終的に許可される請求項によって定義されることを理解すべきである。
【図１Ａ】
0006626104.tif 000002
【図１Ｂ】
0006626104.tif 000003
【図１Ｃ】
0006626104.tif 000004
【図２】
0006626104.tif 000005
【図３Ａ】
0006626104.tif 000006
【図３Ｂ】
0006626104.tif 000007
【図４】
0006626104.tif 000008
【図５Ａ】
0006626104.tif 000009
【図５Ｂ】
0006626104.tif 000010
【図５Ｃ】
0006626104.tif 000011
【図５Ｄ】
0006626104.tif 000012
【図５Ｅ】
0006626104.tif 000013
【図５Ｆ】
0006626104.tif 000014
【図５Ｇ】
0006626104.tif 000015
【図５Ｈ】
0006626104.tif 000016
【図５Ｉ】
0006626104.tif 000017
【図５Ｊ】
0006626104.tif 000018
【図５Ｋ】
0006626104.tif 000019
【図５Ｌ】
0006626104.tif 000020
【図５Ｍ】
0006626104.tif 000021
【図６】
0006626104.tif 000022